(57)【特許請求の範囲】
【請求項１】
領域内及び該領域内に設けられた複数の小領域への入場を管理する中央装置、情報を入力する入力部を有する端末装置群、及び表示部を有する入場者の携帯情報端末が通信網を介して接続され、入場予約を行う予約方法において、
前記端末装置が、入力部から入力された予約する小領域の情報及び予約時間を含む予約情報を受け付けるステップと、
前記端末装置が、前記携帯情報端末の前記表示部へ出力された、予め前記表示部へ出力された領域内への入場許可情報及び入場者特定情報が付加された識別コードを読み込むステップと、
前記端末装置が、前記読み込んだ識別コード及び受け付けた小領域の予約情報を前記中央装置へ送信するステップと、
前記中央装置が、既に予約されている予約情報及び予約状況を記憶した予約情報データベースと前記端末装置から送信された前記予約情報に基づいて、プロセッサにより小領域の入場予約が可能であるか否かを判断するステップと、
前記中央装置が、予約が可能であると判断した場合、前記プロセッサにより生成する識別コードの情報を記憶した識別コードデータベースを参照して小領域の前記予約情報をさらに付加した識別コードを生成するステップと、
前記中央装置が、生成した識別コードを該識別コード中に含まれる入場者特定情報を参照して携帯情報端末へ送信する送信ステップと、
前記端末装置が、前記領域内で前記入場者が購入した商品の金額情報を入力部から受け付けるステップと、
前記端末装置が、リーダにより読み込んだ前記識別コード及び前記受け付けた金額情報を前記中央装置へ送信するステップと、
前記中央装置が、前記端末装置から送信された前記金額情報及び前記識別コードを記憶するステップと、
前記中央装置が、前記プロセッサにより前記識別コードの情報を記憶した前記識別コードデータベースを参照して、前記金額情報が付加された識別コードを生成するステップと、
前記中央装置が、生成した識別コードを、該識別コード中に含まれる入場者特定情報を参照して携帯情報端末へ送信するステップと
から構成される予約方法。
【請求項２】
領域内及び該領域内に設けられた複数の小領域への入場を管理する中央装置、情報を入力する入力部を有する端末装置群、及び表示部を有する入場者の携帯情報端末が通信網を介して接続され、入場予約を行う予約システムにおいて、
前記端末装置は、
入力部から入力された予約する小領域の情報及び予約時間を含む予約情報を受け付ける手段と、
該予約情報を前記中央装置に送信する手段と、
前記携帯情報端末の前記表示部へ出力された、予め前記表示部へ出力された領域内への入場許可情報及び入場者特定情報が付加された識別コードを読み込む手段と、
前記読み込んだ識別コード及び受け付けた小領域の予約情報を前記中央装置へ送信する手段と、
前記領域内で前記入場者が購入した商品の金額情報を入力部から受け付ける手段と、
リーダにより読み込んだ前記識別コード及び前記受け付けた前記金額情報を前記中央装置へ送信する手段とを備え、
前記中央装置は、
既に予約されている予約情報及び予約状況を記憶した予約情報データベースと前記送信された予約情報に基づいてプロセッサにより小領域の入場予約が可能であるか否かを判断する判断手段と、
予約が可能であると判断した場合、前記プロセッサにより生成する識別コードの情報を記憶した識別コードデータベースを参照して小領域の前記予約情報をさらに付加した識別コードを生成する手段と、
生成した識別コードを該識別コード中に含まれる入場者特定情報を参照して前記携帯情報端末へ送信する送信手段と、
前記端末装置から送信された前記金額情報及び前記識別コードを記憶する手段と、
前記プロセッサにより前記識別コードの情報を記憶した前記識別コードデータベースを参照して、前記金額情報が付加された識別コードを生成する手段と、
該手段により生成した識別コードを、該識別コード中に含まれる入場者特定情報を参照して携帯情報端末へ送信する手段とを備えることを特徴とする予約システム。
【請求項３】
前記端末装置は、
日時情報を出力する時計部と、
リーダにより読み込んだ識別コード中の予約情報及び前記時計部から出力される日時情報に基づいて、小領域への入場を許可するか否かを判断する手段と
を更に備えることを特徴とする請求項２に記載の予約システム。
【請求項４】
前記端末装置は、更に、
精算開始の指示を入力部から受け付ける手段と、
精算開始の指示を前記入力部から受け付けた場合に、リーダにより読み込んだ識別コードに付加された金額情報に相当する金額を表示部へ出力する手段と
を備えることを特徴とする請求項２または３に記載の予約システム。
【請求項５】
情報を入力する入力部を有する端末装置群、及び表示部を有する入場者の携帯情報端末と通信網を介して接続され、領域内及び該領域内に設けられた複数の小領域への入場を管理する中央装置において、
外部から送信された前記領域内への入場許可情報及び入場者特定情報が付加された識別コード、並びに、予約する小領域の情報及び予約時間を含む予約情報を受信する手段と、
既に予約されている予約情報及び予約状況を記憶した予約情報データベースと前記送信された予約情報に基づいてプロセッサにより小領域の入場予約が可能であるか否かを判断する判断手段と、
予約が可能であると判断した場合、前記プロセッサにより生成する識別コードの情報を記憶した識別コードデータベースを参照して前記領域内への入場許可情報、入場者特定情報及び小領域の前記予約情報をさらに付加した識別コードを生成する手段と、
生成した識別コードを該識別コード中に含まれる入場者特定情報を参照して前記携帯情報端末へ送信する送信手段と、
前記端末装置から送信された前記領域内で前記入場者が購入した商品の金額情報及び前記識別コードを記憶する手段と、
前記プロセッサにより前記識別コードの情報を記憶した前記識別コードデータベースを参照して、前記金額情報が付加された識別コードを生成する手段と、
該手段により生成した識別コードを、該識別コード中に含まれる入場者特定情報を参照して携帯情報端末へ送信する手段と
を備えることを特徴とする中央装置。
【発明の詳細な説明】
【０００１】
【発明の属する技術分野】
本発明は、テーマパーク等の領域内に設けられるアトラクション、遊戯施設等の小領域への予約方法、予約システム、及び中央装置に関し、特に携帯電話等の表示部へ出力され、領域内への入場許可情報及び入場者特定情報が付加された２次元バーコード等の識別コードを用いて、小領域への入場予約を行う予約方法、予約システム、及び中央装置に関する。
【０００２】
【従来の技術】
テーマパーク等の領域内に設けられるアトラクション、遊戯施設等の小領域に入場する場合、人気のある小領域では長蛇の列となることが多い。この問題を解消するために例えば特開平１０−４９５７１号公報、特開平１１−１８４９９９号公報及び特開平１１−２５１７８には、携帯端末装置を用いて小領域への入場予約を行う予約システムが開示されている。特開平１０−４９５７１号公報等の予約システムでは、予め入場者に固有のＩＤを付与しておき、専用の携帯端末または携帯電話を用いて中央装置へアクセスし、小領域の利用状況を確認させる。
【０００３】
小領域に空きがあり、予約が可能な場合は予約時間及び予約する小領域の情報を入力し予約を確定させる。中央装置では予約があった全ての予約情報をデータベースに蓄積しておく。そして予約時間に入場者が小領域に来た場合は、各小領域に設けられる端末装置にＩＤを認識させる。認識されたＩＤは中央装置へ送信され、中央装置のデータベースに記憶されたＩＤ及び予約時間を参照した上で、許可信号を小領域の端末装置へ送信する。これにより入場者は入場を許可される。
【０００４】
また、近年コンサート等の入場予約チケットを、２次元バーコードを用いて発行するシステムも開発されている。以下にその概要を説明する。まず、入場者は携帯電話にて予約サーバにアクセスし、コンサートの行われる日時及び入場を希望するコンサート情報を入力して予約サーバへ送信する。予約サーバは予約が可能である場合は、入場を許可する情報を付加した２次元バーコードを生成して携帯電話へ送信する。入場者は送信された２次元バーコードを携帯電話の待ち受け画面に設定しておき、入場の際これをリーダに示すことによって入場が許可されるというものである。
【０００５】
【発明が解決しようとする課題】
しかしながら、特開平１０−４９５７１号公報等に開示された予約システムは、専用の端末装置等が必要であり設備投資が大きくなるという問題があった。また、既存の携帯電話を用いた場合でも、予約後に設備の入場を許可するか否かの判断を行う場合、小領域に設けられる端末装置と中央装置との間で認証を行う必要があり通信トラフィックが増加するという問題もあった。特に多数の入場者が見込まれるテーマパークではトラフィック増加によりシステムがダウンする虞があった。
【０００６】
中央装置との間での認証を減少させるためにデータベースを端末装置自身に設け、中央装置へアクセスさせることなく入場許否の判断を行わせることも可能であるが、領域内に分散して多数配置される端末装置に高価なコンピュータを導入するのはコスト面で問題となる。
【０００７】
また、携帯電話の待ち受け画面を利用した２次元バーコードシステムは領域への入場は許可されるが、さらにその領域内で小領域の入場予約をする場合については想定されていなかった。
【０００８】
本発明は斯かる事情に鑑みてなされたものであり、その目的とするところは、携帯電話等の携帯情報端末の表示部へ出力された識別コードの認証により領域内へ入場した後に、この識別コードにより小領域の入場予約を行い、予約情報が付加された新たな識別コードを生成して携帯情報端末へ送信することにより、予約システムの導入に伴う費用を低減させることが可能な予約方法、予約システム、及び中央装置を提供するところにある。
【０００９】
さらに、本発明の他の目的は、新たに生成され、予約情報が付加された識別コードを用いて、端末装置自身に識別コードを認識させることにより、中央装置との間のトラフィックを低減でき、また端末装置自身に予約情報を記憶したデータベースを用意する必要がない予約システムを提供することにある。
【００１０】
【課題を解決するための手段】
本発明に係る予約方法は、領域内及び該領域内に設けられた複数の小領域への入場を管理する中央装置、情報を入力する入力部を有する端末装置群、及び表示部を有する入場者の携帯情報端末が通信網を介して接続され、入場予約を行う予約方法において、前記端末装置が、入力部から入力された予約する小領域の情報及び予約時間を含む予約情報を受け付けるステップと、前記端末装置が、前記携帯情報端末の前記表示部へ出力された、予め前記表示部へ出力された領域内への入場許可情報及び入場者特定情報が付加された識別コードを読み込むステップと、前記端末装置が、前記読み込んだ識別コード及び受け付けた小領域の予約情報を前記中央装置へ送信するステップと、前記中央装置が、既に予約されている予約情報及び予約状況を記憶した予約情報データベースと前記端末装置から送信された前記予約情報に基づいて、プロセッサにより小領域の入場予約が可能であるか否かを判断するステップと、前記中央装置が、予約が可能であると判断した場合、前記プロセッサにより生成する識別コードの情報を記憶した識別コードデータベースを参照して小領域の前記予約情報をさらに付加した識別コードを生成するステップと、前記中央装置が、生成した識別コードを該識別コード中に含まれる入場者特定情報を参照して携帯情報端末へ送信する送信ステップと、前記端末装置が、前記領域内で前記入場者が購入した商品の金額情報を入力部から受け付けるステップと、前記端末装置が、リーダにより読み込んだ前記識別コード及び前記受け付けた金額情報を前記中央装置へ送信するステップと、前記中央装置が、前記端末装置から送信された前記金額情報及び前記識別コードを記憶するステップと、前記中央装置が、前記プロセッサにより前記識別コードの情報を記憶した前記識別コードデータベースを参照して、前記金額情報が付加された識別コードを生成するステップと、前記中央装置が、生成した識別コードを、該識別コード中に含まれる入場者特定情報を参照して携帯情報端末へ送信するステップとから構成されることを特徴とする。
【００１１】
本発明にかかる予約システムは、領域内及び該領域内に設けられた複数の小領域への入場を管理する中央装置、情報を入力する入力部を有する端末装置群、及び表示部を有する入場者の携帯情報端末が通信網を介して接続され、入場予約を行う予約システムにおいて、前記端末装置は、入力部から入力された予約する小領域の情報及び予約時間を含む予約情報を受け付ける手段と、該予約情報を前記中央装置に送信する手段と、前記携帯情報端末の前記表示部へ出力された、予め前記表示部へ出力された領域内への入場許可情報及び入場者特定情報が付加された識別コードを読み込む手段と、前記読み込んだ識別コード及び受け付けた小領域の予約情報を前記中央装置へ送信する手段と、前記領域内で前記入場者が購入した商品の金額情報を入力部から受け付ける手段と、リーダにより読み込んだ前記識別コード及び前記受け付けた前記金額情報を前記中央装置へ送信する手段とを備え、前記中央装置は、既に予約されている予約情報及び予約状況を記憶した予約情報データベースと前記送信された予約情報に基づいてプロセッサにより小領域の入場予約が可能であるか否かを判断する判断手段と、予約が可能であると判断した場合、前記プロセッサにより生成する識別コードの情報を記憶した識別コードデータベースを参照して小領域の前記予約情報をさらに付加した識別コードを生成する手段と、生成した識別コードを該識別コード中に含まれる入場者特定情報を参照して前記携帯情報端末へ送信する送信手段と、前記端末装置から送信された前記金額情報及び前記識別コードを記憶する手段と、前記プロセッサにより前記識別コードの情報を記憶した前記識別コードデータベースを参照して、前記金額情報が付加された識別コードを生成する手段と、該手段により生成した識別コードを、該識別コード中に含まれる入場者特定情報を参照して携帯情報端末へ送信する手段とを備えることを特徴とする。
【００１２】
本発明にかかる予約システムは、前記端末装置は、日時情報を出力する時計部と、リーダにより読み込んだ識別コード中の予約情報及び前記時計部から出力される日時情報に基づいて、小領域への入場を許可するか否かを判断する手段とを更に備えることを特徴とする。
【００１３】
本発明にかかる予約システムは、前記端末装置は、更に、精算開始の指示を入力部から受け付ける手段と、精算開始の指示を前記入力部から受け付けた場合に、リーダにより読み込んだ識別コードに付加された金額情報に相当する金額を表示部へ出力する手段とを備えることを特徴とする。
【００１４】
本発明にかかる中央装置は、情報を入力する入力部を有する端末装置群、及び表示部を有する入場者の携帯情報端末と通信網を介して接続され、領域内及び該領域内に設けられた複数の小領域への入場を管理する中央装置において、外部から送信された前記領域内への入場許可情報及び入場者特定情報が付加された識別コード、並びに、予約する小領域の情報及び予約時間を含む予約情報を受信する手段と、既に予約されている予約情報及び予約状況を記憶した予約情報データベースと前記送信された予約情報に基づいてプロセッサにより小領域の入場予約が可能であるか否かを判断する判断手段と、予約が可能であると判断した場合、前記プロセッサにより生成する識別コードの情報を記憶した識別コードデータベースを参照して前記領域内への入場許可情報、入場者特定情報及び小領域の前記予約情報をさらに付加した識別コードを生成する手段と、生成した識別コードを該識別コード中に含まれる入場者特定情報を参照して前記携帯情報端末へ送信する送信手段と、前記端末装置から送信された前記領域内で前記入場者が購入した商品の金額情報及び前記識別コードを記憶する手段と、前記プロセッサにより前記識別コードの情報を記憶した前記識別コードデータベースを参照して、前記金額情報が付加された識別コードを生成する手段と、該手段により生成した識別コードを、該識別コード中に含まれる入場者特定情報を参照して携帯情報端末へ送信する手段とを備えることを特徴とする。
【００１５】
本発明にあっては、予め入場者の携帯情報端末へ領域内への入場を許可する入場許可情報及び入場者を特定するための情報（例えばＩＤ）が付加された２次元バーコード等の識別コードを送信しておき、入場者はこれを待ち受け画面に設定しておく。入場者はこれを領域内入口の識別コードリーダでリードさせ領域内へ入場する。
【００１６】
人気のあるアトラクション等の小領域への入場を予約する場合は、識別コードリーダを備える端末装置に、予約する小領域の情報及び予約時間を含む予約情報を入力する。さらに、入場者特定情報が付加された識別コードをリーダに読み取らせる。これら入力された情報は端末装置に受け付けられ、該識別コード及び予約情報は中央装置へ送信される。中央装置では送信された予約情報に基づいて小領域の入場予約が可能であるか否かを判断する。予約が可能であると判断した場合、予約時間及び利用する小領域の情報を含む予約情報がさらに付加された識別コードを生成する。生成した識別コードは該識別コード中に含まれる入場者特定情報を元に携帯情報端末へ送信される。これにより、専用の端末装置を用意する必要が無くなり、設備投資の負担を低減させることが可能となる。
【００１７】
また、入場の際には予約時間及び予約した小領域の情報を含む予約情報が付加された識別コードを該当小領域の端末装置のリーダに読み取らせる。端末装置はリーダにより読み取った小領域の情報を基に該当小領域であるか否かを判断し、更に時計部から出力される日時情報と読み取った予約時間とを比較し入場を許可するか否かを判断する。これにより、端末装置はリーダ及び時計部等の簡易な構成で構築することができるため、テーマパーク等の広大な領域中の小領域に低価格の端末装置を安価で多数提供することが可能となる。つまり端末装置自身に予約情報が記憶されたデータベースを用意する必要が無く、また中央装置との間の通信も不要となることから、安価で安定した予約システムを構築することが可能となる。
【００１８】
【発明の実施の形態】
以下本発明を実施の形態を示す図面に基づいて詳述する。
実施の形態１
図１は予約システムの概要を示す模式図である。図に示すようにテーマパーク、または遊園地等の領域内には端末装置２，２，２…が分散して配置されており、これらの端末装置２と中央装置１とが通信網Ｎを介して接続されている。端末装置２は領域内への入場ゲート、各小領域（以下、会場という）の会場入場ゲート、グッズ販売店または飲食店等のショップ、または領域内からの出場ゲート等にそれぞれ設けられている。各端末装置２には２次元バーコード等の識別コードを読み取るリーダ２０が設けられている。なお、以下では、識別コードを２次元バーコードであるものとして説明するが、携帯情報端末３の表示部３４へ待ち受け画面または壁紙として出力することができるものであれば、２次元バーコード以外の他のコード体系に係る識別コードであっても良い。
【００１９】
また、入場ゲート、出場ゲート及び会場入場ゲートに付設される端末装置２には、入場者の入場及び退場を規制する入場レバー２０２が設けられている。さらに、出場ゲートに設けられる端末装置２は精算のための貨幣投入口２０１を備える。領域内への入場を希望する入場者は予めテーマパークのホームページへアクセスし、入場許可情報及びｅ−Ｍａｉｌアドレス等の入場者特定情報が付加された２次元バーコードの発行を受けておく。そして携帯電話、ＰＤＡ(Personal Digital Assistant)等の携帯情報端末３の表示部３４へ待ち受け画面または壁紙として２次元バーコードを出力しておく。入場ゲートではリーダ２０へ２次元バーコードをかざし、２次元バーコード中の入場許可情報の存在を条件に入場レバー２０２を制御して入場を許可する。
【００２０】
会場への予約を行う場合は、２次元バーコードをリーダ２０へ読み取らせ、予約時間及び予約する会場の情報を含む予約情報を入力する。端末装置２は入力された２次元バーコードリーダ及び予約情報を中央装置１へ送信し、中央装置１は予約が可能であるか否かを判断する。予約が可能である場合はさらに予約情報が付加された２次元バーコードを生成し携帯情報端末３へ送信する。予約時間になった場合、入場者は予約情報が付加された２次元バーコードをリーダ２０へ読み取らせる。端末装置２は読み取った２次元バーコードの予約情報に基づき、入場レバー２０２を制御する。
【００２１】
入場者が商品を購入した場合は、金額情報及び読み取らせた２次元バーコードを中央装置１へ送信する。中央装置１は金額情報が更に付加された２次元バーコードを生成し携帯情報端末へ送信する。構外へ退場する場合は、金額情報が付加された２次元バーコードをリーダに読み取らせ、認識した金額情報に相当する金額を請求する。
【００２２】
図２は端末装置２のハードウェア構成を示すブロック図である。図に示すようにＣＰＵ( Central Processing Unit ) ２１にバス２７を介してＲＡＭ２２，タッチパネル等の入力部２３及び表示部２４、ＬＡＮカード等の通信部２６，日時情報を出力する時計部２８等が接続されている。２次元バーコードを読み取るリーダ２０はＣＣＤ( Charge Coupled Device ) ２０ａ及びＡ／Ｄ変換部２０ｂを備え、ＣＣＤ２０ａにより読み取った２次元バーコードをＡ／Ｄ変換部２０ｂによりディジタル化してＣＰＵ２１へ読み取った信号を出力する。２次元バーコードは例えばマトリクス式のバーコードが用いられる。
【００２３】
読み取った２次元バーコードはＲＡＭ２２に格納された変換テーブル２２Ｔにより、その内容が変換される。変換テーブル２２Ｔには、２次元バーコードで表される予約時間の情報に対応させて、ＣＰＵ２１が認識することが可能な日時情報へ、２次元バーコードで表される会場の情報（会場コード）を、ＣＰＵ２１が認識することが可能な会場の情報へ、２次元バーコードで表される入場許可情報を、ＣＰＵ２１が認識することが可能な情報等へそれぞれ変換することが可能な情報が記憶されている。また端末装置２は入場レバー２０２を制御する入場レバー制御部２０２Ｃを備え、ＣＰＵ２１は入場レバー２０２のロックを解除する制御コードを入場レバー制御部２０２Ｃへ出力する。
【００２４】
この他、貨幣投入部２０１へ投入された貨幣を識別する貨幣識別部２０１Ｃが設けられている。入場者が使用した金額に相当する金額情報が２次元バーコードに付加されている場合は、この金額情報を表示部２４へ出力し金額の投入を促す。貨幣投入部２０１から貨幣が投入された場合、貨幣識別部２０１Ｃにより貨幣を識別し、貨幣識別部２０１Ｃは識別した金額の情報をＣＰＵ２１へ出力し、ＣＰＵ２１は請求した額と同額である場合は、入場レバー制御部２０２Ｃへ入場レバー２０２のロックを解除する信号を出力する。なお、ＲＡＭ２２には入場レバー２０２，入力部２３，表示部２４，リーダ２０等を制御する制御プログラム２２Ｐがロードされている。
【００２５】
図３は中央装置１のハードウェア構成を示すブロック図である。図に示すように、ＣＰＵ１１にはバス１７を介してＲＡＭ１２，ハードディスク等の記憶部１５、携帯情報端末３及び端末装置２と情報を送受信するためのゲートウェイ等の通信部１６，液晶ディスプレイ等の表示部１４、及びキーボード、マウス等の入力部１３が接続される。ＲＡＭ１２には記憶部１５、表示部１４，及び入力部１３等を制御するための制御プログラム１２Ｐが記憶されている。
【００２６】
記憶部１５には入場者からの予約情報及び予約状況を記憶した予約情報データベース（以下、予約情報ＤＢ）１５１、生成する２次元バーコードの情報を記憶した２次元バーコードデータベース（以下、２次元バーコードＤＢ）１５２，及び、入場者が使用した金額の情報を記憶した金額データベース（以下、金額ＤＢ）１５３が用意されている。図４は予約情報ＤＢ１５１のレコードレイアウトを示す説明図である。図に示すように予約情報ＤＢ１５１はリレーショナルデータベースの構造を成し、ＣＰＵ１１はＳＱＬ( Structured Query Language ) を用いて予約情報ＤＢ１５１に対して、予約情報の記憶、検索等の処理を実行する。
【００２７】
図に示すように会場毎に予約を受ける事が可能な時間帯、各時間帯における残り予約数及び既に予約処理を済ませた入場者特定情報が記憶されている。端末装置２の入力部２３から入力された予約時間及び予約する会場の情報を含む予約情報、並びに、リーダで読み取った入場者特定情報が、中央装置１へ送信された場合、ＣＰＵ１１は会場の情報及び予約時間を基に、予約情報ＤＢ１５１の残り予約数を検索する。そして残り予約数が０でない場合は入場者特定情報を記憶して予約を確定する。なお残り予約数はデクリメントされて記憶される。この後ＣＰＵ１１は２次元バーコードＤＢ１５２を参照して、その会場に対する予約情報（会場の情報及び予約時間）が、送信された２次元バーコードに付加された新たな２次元バーコードを生成する。
【００２８】
２次元バーコードＤＢ１５２には、入場者を特定するための入場者特定情報、領域内への入場許可情報、予約情報（予約会場及び予約時間の情報）、及び金額情報等を２次元バーコードとして表現するための変換データが記憶されている。
例えば、入場者特定情報については、入場者のｅ−Ｍａｉｌアドレスを、１ビットの情報を持つ白または黒のセル群から構成される所定の２次元座標領域に変換するためのデータが記憶されている。
【００２９】
ＣＰＵ２１は２次元バーコードＤＢ１５２を参照して２次元バーコードを生成し、送信された２次元バーコード中に含まれる入場者特定情報を参照して生成した２次元バーコードを携帯情報端末３へ送信する。
【００３０】
図５は金額ＤＢ１５３のレコードレイアウトを示す説明図である。金額ＤＢ１５３には入場者特定情報に対応させて、商品を購入した日時、金額情報（購入した金額、購入した店舗のコード、合計金額等）、及び精算日時の情報が記憶されている。端末装置２のリーダ２０または入力部２３から入力された金額情報及びリーダで読み取られた２次元バーコード中の入場者特定情報は中央装置１へ決済のため送信される。中央装置１はこれらの情報を金額ＤＢ１５３に書き込む。
【００３１】
さらに、購入の度に２次元バーコードＤＢ１５２を参照して、金額情報が付加された２次元バーコードを生成して携帯情報端末３へ送信する。入場者が精算する場合は、金額情報が付加された２次元バーコードをリーダ２０に読み取らせ、端末装置２の表示部２４に出力される金額の入金を条件に入場レバー２０２のロックを解除する制御を行う。端末装置２での精算後のデータは、バッチ処理により、またはリアルタイムで中央装置１へ送信され精算日時が記憶される。なお、精算が終了した場合は、精算終了を示すフラグがセットされる。なお、精算の方法はこの方法に限らず、クレジットカードによる決済、予め所定金額をデポジットさせる決済等何れの方法であっても良い。
【００３２】
以上の構成において、予約システムの処理手順を、フローチャートを用いて説明する。図６は領域内に入場する際に必要とされる２次元バーコードの生成手順を示すフローチャートである。まず、２次元バーコードを生成するＷｅｂサーバ（図示せず）へアクセスする（ステップＳ６１）。なお、中央装置１に該Ｗｅｂサーバとしての機能をもたせるようにしても良い。ＷｅｂサーバはＨＴＭＬ(Hyper Text Markup Language)ファイルを携帯情報端末３へ送信する（ステップＳ６２）。ＨＴＭＬファイルはブラウザに表示され、領域内へ入場する日及び入場者を特定するための情報を入力するボックスが表示される。入場者は入場日及びｅ−Ｍａｉｌアドレス等の入場者特定情報を入力し（ステップＳ６３）、Ｗｅｂサーバへこれらの入力された項目を送信する（ステップＳ６４）。なお、入力させる情報は、これらに加えて同行する人数、氏名、住所、決済方法などを入力させるようにしても良い。
【００３３】
Ｗｅｂサーバは中央装置１と同じく２次元バーコードＤＢ１５２を備えており、これを参照して、領域内への入場を許可するための入場許可情報（例えばテーマパークのコード番号及び入場する日時）及び入場者特定情報が付加された２次元バーコードを生成する（ステップＳ６５）。生成された２次元バーコードは例えばビットマップ形式で携帯情報端末３へ送信される（ステップＳ６６）。なお、２次元バーコードに加えて入場日等を記載したｅ−Ｍａｉｌを同時に送信するようにしても良い。入場者は入場当日までにこの２次元バーコードを表示部３４へ、例えば待ち受け画面として出力させておく（ステップＳ６７）。
【００３４】
図７及び図８は入場予約及び入場の際の処理手順を示すフローチャートである。入場者が会場への予約を行う場合、まず端末装置２の入力部２３から予約する会場及び予約時間を含む予約情報を入力する。入力された予約情報は受け付けられ（ステップＳ７１）、その内容はＲＡＭ２２に記憶される。続いて入場者は２次元バーコードをリーダ２０へ読み取らせる。端末装置２は２次元バーコードを読み込み（ステップＳ７２）、この読み込んだ２次元バーコード及びＲＡＭ２２に記憶した予約情報を読み出して中央装置１へ送信する（ステップＳ７３）。
【００３５】
中央装置１は予約情報及び２次元バーコードを受信した場合、予約する会場及び予約時間の情報を基に予約情報ＤＢ１５１を検索する（ステップＳ７４）。該当会場の該当時間の残り予約数が０であるか否かを判断し（ステップＳ７５）、残り予約数が０である場合は（ステップＳ７５でＹＥＳ）、予約が不可能であることを示す情報を端末装置２へ送信する（ステップＳ７６）。残り予約数が０でない場合は（ステップＳ７５でＮＯ）、２次元バーコードＤＢ１５２を参照して入場者特定情報（ｅ−Ｍａｉｌアドレスなど）を抽出し、抽出した入場者特定情報を予約情報ＤＢ１５１の入場者特定情報フィールド内に記憶させる（ステップＳ７７）。さらに残り予約数を１デクリメントする（ステップＳ７８）。
【００３６】
ＣＰＵ１１は予約が確定した会場及び確定した予約時間を含む予約情報が付加された２次元バーコードを、２次元バーコードＤＢ１５２を参照して生成する（ステップＳ７９）。中央装置１は生成した新たな２次元バーコードを抽出した入場者特定情報を参照して端末装置２へ送信する（ステップＳ８１）。なお、２次元バーコードに加えて会場の予約が完了した旨及び予約時間等のメッセージを同時に送信するようにしても良い。また、この新たな２次元バーコードには入場許可情報、入場者特定情報、及び予約が確定した会場及び確定した予約時間を含む予約情報が付加されている。
【００３７】
入場者は送信された２次元バーコードを待ち受け画面に設定しておき、予約時間になった場合は端末装置２のリーダ２０に２次元バーコードを読み取らせる（ステップＳ８２）。ＣＰＵ２１は２次元バーコード中の予約情報を抽出し（ステップＳ８３）、また時計部２８から出力される日時データを取得する（ステップＳ８４）。ＣＰＵ２１はＲＡＭ２２に格納した会場コードと、２次元バーコード中に付加された予約された会場の情報とが適合し、かつ、２次元バーコードに付加された予約時間と、日時情報とが適合するかを判断する（ステップＳ８５）。
適合する場合は（ステップＳ８５でＹＥＳ）、入場レバー制御部２０２Ｃへ入場レバーのロックを解除する旨の信号を出力する。入場レバー２０２はこの指示を受けてロックを解除する（ステップＳ８６）。
【００３８】
一方、適合しない場合は（ステップＳ８５でＮＯ）、入場を拒否するメッセージを表示部２４へ出力する（ステップＳ８７）。なお、領域内へ入場する場合も、同様にリーダ２０で読み取った入場許可情報と、端末装置２に予め記憶させた入場許可情報とが適合するか否かを判断させることにより行う。このように予約情報が付加された２次元バーコードを利用することにより、端末装置２に予約情報を記憶したＤＢを用意する必要が無く、また認証のための通信を中央装置との間で行うことが不要となる。
【００３９】
続いて精算処理について説明する。図９及び図１０は精算処理の手順を示すフローチャートである。入場者がグッズ販売店等で商品を購入する場合、端末装置２は図示しないＰＯＳ端末から出力される金額情報（購入日時、購入商品、購入金額など）を受け付け（ステップＳ９１）、リーダ２０により２次元バーコードを読み取る（ステップＳ９２）。端末装置２は読み取った２次元バーコード及び金額情報を中央装置１へ送信する（ステップＳ９３）。
【００４０】
中央装置１は２次元バーコードから入場者特定情報を抽出し、抽出した入場者特定情報を元に金額ＤＢ１５３に金額情報を記憶する（ステップＳ９４）。続いてＣＰＵ１１は２次元バーコードＤＢ１５２を参照して金額情報が付加された２次元バーコードを生成し（ステップＳ９５）、入場者特定情報を参照して新たな２次元バーコードを端末装置２へ送信する（ステップＳ９６）。入場者は送信された２次元バーコードを待ち受け画面に出力する。なお、既に商品を購入して金額情報が記憶されている場合は、合計金額にかかる金額情報が付加された２次元バーコードを生成するようにすれば良い。
【００４１】
端末装置２は精算の開始の指示が入力部２３から入力されたか否かを判断し（ステップＳ９７）、入力がない場合は（ステップＳ９７でＮＯ）、この処理を繰り返す。一方、精算開始の指示が入力された場合は（ステップＳ９７でＹＥＳ）、２次元バーコードを読み取る（ステップＳ１０１）。ＣＰＵ２１は変換テーブル２２Ｔを参照して金額情報を抽出する（ステップＳ１０２）。抽出した金額情報は表示部２４へ出力され請求が行われる（ステップＳ１０３）。
【００４２】
貨幣投入部２０１から入金があった場合、貨幣識別部２０１Ｃは貨幣を識別し、入金された額の情報をＣＰＵ２１へ出力する。ＣＰＵ２１は請求した額の入金があるか否かを判断する（ステップＳ１０４）。入金がない場合は（ステップＳ１０４でＮＯ）待機しておき、入金があった場合は（ステップＳ１０４でＹＥＳ）、入場レバー制御部２０２Ｃへ入場レバー２０２のロックを解除する旨の信号を出力する。入場レバー２０２はこの指示を受けてロックを解除する（ステップＳ１０５）。端末装置２は精算日時、精算金額等の精算情報を中央装置１へ送信し（ステップＳ１０６）、中央装置１は精算情報を金額ＤＢ１５３に記憶する（ステップＳ１０７）。このように領域内での精算システムについても携帯電話の待ち受け画面及び２次元バーコードを利用して構築するようにしたので、より安価で安定したシステムを構築することが可能となる。
【００４３】
実施の形態２
図１１は実施の形態２に係る中央装置１のハードウェア構成を示すブロック図である。上述した実施の形態１に係る中央装置１を実行させるためのコンピュータプログラムは、本実施の形態２のように中央装置１にプレインストールして提供することも、またＣＤ−ＲＯＭ、ＭＯ等の可搬型記録媒体で提供することも可能である。さらに、コンピュータプログラムを回線経由で搬送波として伝搬させて提供することも可能である。以下に、その内容を説明する。
【００４４】
図１１に示す中央装置１に、予約情報を受信させ、予約が可能であるか否かを判断させ、２次元バーコードを生成させ、２次元バーコードを出力させるプログラムが記録された記録媒体１ａ（ＣＤ−ＲＯＭ、ＭＯ又はＤＶＤ−ＲＯＭ等）が中央装置１の記憶部１５にインストールされている。または、かかるプログラムを、通信部１６を介して外部のコンピュータからダウンロードし、記憶部１５にインストールするようにしても良い。かかるプログラムは中央装置１のＲＡＭ１２にロードして実行される。これにより、上述のような本発明の中央装置１として機能する。
【００４５】
本実施の形態２は以上の如き構成としてあり、その他の構成及び作用は実施の形態１と同様であるので、対応する部分には同一の参照番号を付してその詳細な説明を省略する。
【００４６】
（付記１）  領域内及び該領域内に設けられた複数の小領域への入場を管理する中央装置、識別コードリーダを有する端末装置群、及び表示部を有する入場者の携帯情報端末が通信網を介して接続され、予め前記表示部へ出力された領域内への入場許可情報及び入場者特定情報が付加された識別コードを用いて、小領域への入場予約を行う予約方法において、
前記端末装置により、予約する小領域の情報及び予約時間を含む予約情報を受け付けるステップと、
前記表示部へ出力された識別コードをリーダにより読み込むステップと、
リーダにより読み込んだ識別コード及び受け付けた予約情報を前記中央装置へ送信するステップと、
前記中央装置は、送信された予約情報に基づいて小領域の入場予約が可能であるか否かを判断するステップと、
予約が可能であると判断した場合、前記予約情報をさらに付加した識別コードを生成するステップと、
生成した識別コードを該識別コード中に含まれる入場者特定情報を参照して携帯情報端末へ送信するステップと
を備えることを特徴とする予約方法。
（付記２）  領域内及び該領域内に設けられた複数の小領域への入場を管理する中央装置、識別コードリーダを有する端末装置群、及び表示部を有する入場者の携帯情報端末が通信網を介して接続され、予め前記表示部へ出力された領域内への入場許可情報及び入場者特定情報が付加された識別コードを用いて、小領域への入場予約を行う予約システムにおいて、
前記端末装置は、
予約する小領域の情報及び予約時間を含む予約情報を受け付ける手段と、
前記表示部へ出力された識別コードをリーダにより読み込む手段と、
リーダにより読み込んだ識別コード及び受け付けた予約情報を前記中央装置へ送信する手段と
を備え、
前記中央装置は、
送信された予約情報に基づいて小領域の入場予約が可能であるか否かを判断する手段と、
予約が可能であると判断した場合、前記予約情報をさらに付加した識別コードを生成する手段と、
生成した識別コードを該識別コード中に含まれる入場者特定情報を参照して携帯情報端末へ送信する手段と
を備えることを特徴とする予約システム。
（付記３）  前記端末装置は、
時計部と、
リーダにより読み込んだ識別コード中の予約情報及び前記時計部から出力される日時情報に基づいて、小領域への入場を許可するか否かを判断する手段と
を更に備えることを特徴とする付記２に記載の予約システム。
（付記４）  前記端末装置は、
金額情報を受け付ける手段と、
リーダにより読み込んだ識別コード及び受け付けた金額情報を前記中央装置へ送信する手段と
を更に備え、
前記中央装置は、
送信された金額情報及び識別コードを記憶する手段と、
金額情報が付加された識別コードを生成する手段と
を更に備えることを特徴とする付記２または３に記載の予約システム。
（付記５）  前記端末装置は、
精算開始の指示を受け付ける手段と、
リーダにより読み込んだ識別コードに付加された金額情報に相当する金額を請求する手段と
を更に備えることを特徴とする付記４に記載の予約システム。
（付記６）  複数の小領域を有する領域内に設けられ、予め領域内への入場許可情報及び入場者特定情報が付加された識別コードを用いて、小領域への入場予約を行う識別コードリーダを有する端末装置において、
予約する小領域の情報及び予約時間を含む予約情報を受け付ける手段と、
識別コードをリーダにより読み込む手段と、
リーダにより読み込んだ識別コード及び受け付けた予約情報を外部へ送信する手段と
を備えることを特徴とする端末装置。
（付記７）  時計部と、
リーダにより読み込んだ識別コード中の予約情報及び前記時計部から出力される日時情報に基づいて、小領域への入場を許可するか否かを判断する手段と
を更に備えることを特徴とする付記６に記載の端末装置。
（付記８）  金額情報を受け付ける手段と、
リーダにより読み込んだ識別コード及び受け付けた金額情報を外部へ送信する手段と、
精算開始の指示を受け付ける手段と、
リーダにより読み込んだ識別コードに付加された金額情報に相当する金額を請求する手段と
を更に備えることを特徴とする付記６または７に記載の端末装置。
（付記９）  複数の小領域を有する領域内に設けられ、予め領域内への入場許可情報及び入場者特定情報が付加された識別コードを用いて、領域内及び該領域内に設けられた複数の小領域への入場を管理する中央装置において、
外部から送信された識別コード、並びに、予約する小領域の情報及び予約時間を含む予約情報を受信する手段と、
受信した予約情報に基づいて小領域の入場予約が可能であるか否かを判断する手段と、
予約が可能であると判断した場合、前記予約情報をさらに付加した識別コードを生成する手段と、
生成した識別コードを該識別コード中に含まれる入場者特定情報を参照して外部へ送信する手段と
を備えることを特徴とする中央装置。
（付記１０）  外部から送信された金額情報及び識別コードを記憶する手段と、
記憶した金額情報及び識別コードに基づいて、識別コードを生成する手段と
を更に備えることを特徴とする付記９に記載の中央装置。
（付記１１）  予め領域内への入場許可情報及び入場者特定情報が付加された識別コードを用いて、領域内及び該領域内に設けられた複数の小領域への入場を管理するためのコンピュータプログラムにおいて、
コンピュータに、外部から送信された識別コード、並びに、予約する小領域の情報及び予約時間を含む予約情報を受信させるステップと、
コンピュータに、受信させた予約情報に基づいて小領域の入場予約が可能であるか否かを判断させるステップと、
コンピュータに、予約が可能であると判断した場合、前記予約情報をさらに付加した識別コードを生成させるステップと、
コンピュータに、生成させた識別コードを該識別コード中に含まれる入場者特定情報を参照して外部へ送信させるステップと
を実行させることを特徴とするコンピュータプログラム。
（付記１２）  予め領域内への入場許可情報及び入場者特定情報が付加された識別コードを用いて、領域内及び該領域内に設けられた複数の小領域への入場を管理するためのコンピュータプログラムが記録された記録媒体において、
コンピュータに、外部から送信された識別コード、並びに、予約する小領域の情報及び予約時間を含む予約情報を受信させるステップと、
コンピュータに、受信させた予約情報に基づいて小領域の入場予約が可能であるか否かを判断させるステップと、
コンピュータに、予約が可能であると判断した場合、前記予約情報をさらに付加した識別コードを生成させるステップと、
コンピュータに、生成させた識別コードを該識別コード中に含まれる入場者特定情報を参照して外部へ送信させるステップと
を実行させるコンピュータプログラムが記録されていることを特徴とするコンピュータでの読み取りが可能な記録媒体。
【００４７】
【発明の効果】
以上詳述した如く、本発明にあっては、小領域への入場を予約する場合は、識別コードリーダを備える端末装置に、予約する小領域の情報及び予約時間を含む予約情報を入力する。さらに、入場者特定情報が付加された識別コードをリーダに読み取らせる。これら入力された情報は端末装置に受け付けられ、該識別コード及び予約情報は中央装置へ送信される。中央装置では送信された予約情報に基づいて小領域の入場予約が可能であるか否かを判断する。予約が可能であると判断した場合、予約時間及び利用する小領域の情報を含む予約情報がさらに付加された識別コードを生成する。生成した識別コードは該識別コード中に含まれる入場者特定情報を元に携帯情報端末へ送信される。これにより、専用の端末装置を用意する必要が無くなり、設備投資の負担を低減させることが可能となる。
【００４８】
また、入場の際には予約時間及び予約した小領域の情報を含む予約情報が付加された識別コードを該当小領域の端末装置のリーダに読み取らせる。端末装置はリーダにより読み取った小領域の情報を基に該当小領域であるか否かを判断し、更に時計部から出力される日時情報と読み取った予約時間とを比較し入場を許可するか否かを判断する。これにより、端末装置はリーダ及び時計部等の簡易な構成で構築することができるため、テーマパーク等の広大な領域中の小領域に低価格の端末装置を安価で多数提供することが可能となる。つまり端末装置自身に予約情報が記憶されたデータベースを用意する必要が無く、また中央装置との間の通信も不要となることから、安価で安定した予約システムを構築することが可能となる等、本発明は優れた効果を奏し得る。
【図面の簡単な説明】
【図１】予約システムの概要を示す模式図である。
【図２】端末装置のハードウェア構成を示すブロック図である。
【図３】中央装置のハードウェア構成を示すブロック図である。
【図４】予約情報ＤＢのレコードレイアウトを示す説明図である。
【図５】金額ＤＢのレコードレイアウトを示す説明図である。
【図６】領域内に入場する際に必要とされる２次元バーコードの生成手順を示すフローチャートである。
【図７】入場予約及び入場の際の処理手順を示すフローチャートである。
【図８】入場予約及び入場の際の処理手順を示すフローチャートである。
【図９】精算処理の手順を示すフローチャートである。
【図１０】精算処理の手順を示すフローチャートである。
【図１１】実施の形態２に係る中央装置のハードウェア構成を示すブロック図である。
【符号の説明】
１    中央装置
１３  入力部
１４  表示部
１６  通信部
１５  記憶部
１５１  予約情報ＤＢ
１５２  ２次元バーコードＤＢ
１５３  金額ＤＢ
１ａ  記録媒体
２    端末装置
２０  リーダ
２２Ｔ  変換テーブル
２３  入力部
２４  表示部
２８  時計部
２６  通信部
２０２Ｃ  入場レバー制御部
２０１Ｃ  貨幣識別部
２０１  貨幣投入部
２０２  入場レバー
３    携帯情報端末
３４  表示部
Ｎ    通信網
【図１】
0004582988.tif 000002
【図２】
0004582988.tif 000003
【図３】
0004582988.tif 000004
【図４】
0004582988.tif 000005
【図５】
0004582988.tif 000006
【図６】
0004582988.tif 000007
【図７】
0004582988.tif 000008
【図８】
0004582988.tif 000009
【図９】
0004582988.tif 000010
【図１０】
0004582988.tif 000011
【図１１】
0004582988.tif 000012